(57)【要約】【課題】下部を埋設した杭や柱等の支柱の地上からの高さを容易に、かつ確実に微調整できる高さ調整構造。【解決手段】支柱１、支柱１の上端側部に重ねる略円形の調整板２、及び調整板２の外側面に重ねる縦板を有する上端形成体３とから成り、支柱１の上端側部には、支柱１を水平方向に貫通する基準穴４を、その上方に長孔５を夫々穿ち、調整板２に中心穴６を穿ち、中心穴６を中心として一定長の半径箇所から螺旋状に複数の調整穴７を設け、上端形成体３の縦板に長孔８を穿ち、当該長孔８の上方に穴９を設け、上端形成体３の長孔８と調整板２の中心穴６及び支柱１の基準穴４に中心ボルト１０を通して端部にナット１１を螺着し、上端形成体３の縦板の穴９、調整板２の螺旋状の任意の調整穴７、及び支柱１の長孔８に調整ボルト１２を通して端部にナットを螺着した。【選択図】図１
2019122085.tif 000002
【特許請求の範囲】
【請求項１】
支柱、当該支柱の上端側部に重ねる略円形の調整板、及び当該調整板の外側面に重ね、当該調整板の半径より長い縦板を有する上端形成体とから成り、                      
前記支柱の上端側部には、当該支柱を水平方向に貫通する基準穴を、その上方に同様に縦長の長孔を夫々穿ち、
前記調整板に中心穴を穿ち、当該中心穴を中心として一定長の半径箇所から螺旋状に複数の調整穴を設け、
前記上端形成体の縦板の、上端から前記調整板の半径の長さより下方の位置に上端を有する長孔を縦に穿ち、当該長孔の上方に穴を設け、
前記上端形成体の長孔と調整板の中心穴及び支柱の前記基準穴の位置を一致させてこれらの長孔又は穴に中心ボルトを通して、当該中心ボルトの端部にナットを螺着し、
前記上端形成体の縦板の穴、前記調整板の螺旋状の任意の調整穴、及び支柱の長孔の位置を一致させてこれらの穴又は長孔に調整ボルトを通し、当該調整ボルト端にナットを螺着したことを特徴とする、支柱の高さ調整構造。
【請求項２】
前記調整板及び上端形成体が支柱の上端両側部に設けられていることを特徴とする、請求項１に記載の支柱の高さ調整構造。
【請求項３】
両側の上端形成体を接続する接続体が設けられていることを特徴とする、請求項２に記載の支柱の高さ調整構造。
【発明の詳細な説明】
【技術分野】
【０００１】
この発明は、太陽光パネルの架台等の柱又は杭等の支柱を埋設後に地上からの高さを容易かつ確実に微調整できる、杭又は柱等の支柱の高さ調整構造に関するものである。
【背景技術】
【０００２】
従来、バックホー等で４個の支柱の下部を夫々間隔を開けて地中に打ち込み、当該支柱の上部を地上に残し、これらの支柱の上端で、例えば、太陽パネルの架台を支持している。この様な支柱は、地上からの高さが揃っていなければ、前記架台を支持することは出来ない。また、これらの支柱は上述の様にバックホー等の機械で上から地面に打ち込むため、高さを揃えることが難しい。
【０００３】
そこで、これらの杭や柱等の支柱の上端部を上部と下部の二つに分け、これらを嵌め合わせる箇所に、縦長の長孔又は数個の穴を上部か下部の一方に設け、長孔又は数個の穴のいずれかの穴を選んでそこにボルトを通して、ナットで固定している。特許文献１のものは、一方に長孔を設け、他方に穴を設け、前記長孔に対するボルトの位置で、高さを調整するものである。
【先行技術文献】
【特許文献】
【０００４】
【特許文献１】特開２０１４−１５２４８６号公報
【発明の開示】
【発明が解決しようとする課題】
【０００５】
しかしながら、従来の支柱の高さ調整の場合、特許文献１のものは、長期にわたって使用すると、長孔に通したボルトがゆるみ長孔内のボルトの位置がずれてしまい、高さが変化する恐れがある。また、数個の穴を設ける場合、杭又は支柱自体の強度が落ちる。さらに、直線上に並んだ数個の穴は、夫々独立した穴のため、隣接する穴の間隔は穴１個分以上の長さとなり、ボルトを通す穴を選んでも、微調整ができない。
【０００６】
そこで、この発明はこれらの問題点に着目して発明されたもので、下部を埋設した杭や柱等の支柱の地上からの高さや長さを容易に、かつ確実に調整でき、さらに微調整も可能な高さ調整構造を提供することを目的としたものである。
【課題を解決するための手段】
【０００７】
請求項１の発明は、支柱、当該支柱の上端側部に重ねる略円形の調整板、及び当該調整板の外側面に重ね、当該調整板の半径より長い縦板を有する上端形成体とから成り、前記支柱の上端側部には、当該支柱を水平方向に貫通する基準穴を、その上方に同様に縦長の長孔を夫々穿ち、前記調整板に中心穴を穿ち、当該中心穴を中心として一定長の半径箇所から螺旋状に複数の調整穴を設け、前記上端形成体の縦板の、上端から前記調整板の半径の長さより下方の位置に上端を有する長孔を縦に穿ち、当該長孔の上方に穴を設け、前記上端形成体の長孔と調整板の中心穴及び支柱の前記基準穴の位置を一致させてこれらの長孔又は穴に中心ボルトを通して、当該中心ボルトの端部にナットを螺着し、前記上端形成体の縦板の穴、前記調整板の螺旋状の任意の調整穴、及び支柱の前記長孔の位置を一致させてこれらの穴又は長孔に調整ボルトを通し、当該調整ボルト端にナットを螺着した、支柱の高さ調整構造とした。
【０００８】
また、請求項２の発明は、前記調整板及び上端形成体が支柱の上端両側部に設けられている、請求項１に記載の支柱の高さ調整構造とした。
【０００９】
また、請求項３の発明は、両側の上端形成体を接続する接続体が設けられている、請求項２に記載の支柱の高さ調整構造とした。
【発明の効果】
【００１０】
請求項１の発明によれば、当該支柱の上端の高さを調整する場合、上方の一組の調整ボルト、ナットを外し、調整板を、中心ボルトを中心に回転させて、中心穴から一定長さの螺旋状に並べられた調整穴の一つを前記中心穴の上方に位置させて上端形成体の穴と一致させ、この状態で調整ボルトを当該上端形成体の穴、調整板の調整穴及び支柱の上端側部の前記長孔に通して、端部にナットを螺着して締め付ければ、高さ調整は終了する。上記調整穴を選択する場合、調整板の中心穴から離れた調整穴を選べば、支柱は高くなり、一方、調整板の中心穴から近い調整穴を選べば、支柱は低くなる。
【００１１】
この様に、高さ調整は容易かつ確実にでき、さらに、使用中に支柱の高さや長さが変化することはない。またこの際、調整板の螺旋状に並べた調整穴の隣接する調整穴の間隔を短かくすれば、各調整穴の中心穴からの半径長さの相違度合いが小さくなり、当該支柱の高さや長さを微調整できる。さらに、この発明は地中に下端部を埋設したり、所定箇所に設置した後の支柱の高さを調整することが出来る。
【００１２】
また、請求項２の発明によれば、支柱の上端側部の両側に調整板及び縦板を有する上端形成体を設け、これらの部材の長孔又は穴にボルトを通せば、高さ調整後の支柱が強固となり、架台等を安定して支持できる。
【００１３】
また、請求項３の発明によれば、両側の上端形成体を一体に接続しているため、当該支柱の上部に適宜の架台等を支持しても、強固に架台等を支持できる。
【図面の簡単な説明】
【００１４】
【図１】この発明の実施の形態例１の支柱の高さ調整構造の側面図である。
【図２】この発明の実施の形態例１の支柱の高さ調整構造の上端形成体の側面図である。
【図３】この発明の実施の形態例１の支柱の高さ調整構造の調整板の側面図である。
【図４】この発明の実施の形態例１の支柱の高さ調整構造の支柱の上端側部の側面図である。
【図５】この発明の実施の形態例１の支柱の高さ調整構造部分の斜視図である。
【図６】この発明の実施の形態例１の支柱の高さ調整構造部分の平面図である。
【図７】この発明の実施の形態例１の支柱の高さ調整構造部分の正面図である。
【図８】この発明の実施の形態例１の支柱の高さ調整構造部分の縦断面図である。
【図９】この発明の実施の形態例１の支柱の高さ調整構造の高さを高くした状態の側面図である。
【図１０】この発明の実施の形態例１の支柱の高さ調整構造の高さを低くした状態の側面図である。
【発明を実施するための形態】
【００１５】
（実施の形態例１）
この発明の実施の形態例１の支柱の高さ調整構造を図１〜８に基づいて説明する。
【００１６】
この実施の形態例１の支柱の高さ調整構造は、支柱１と、当該支柱１の上端側部に重ねる略円形の調整板２と当該調整板２の外側面に重ね、当該調整板の半径より長い縦板を有する上端形成体３とから成る。そして、前記調整板２と上端形成体３は夫々２個用意され、前記支柱１の上端側部の両側に設けられている。
【００１７】
前記支柱１の上端側部の両側を水平に貫通した基準穴４が設けられ、当該基準穴４の上方に、支柱１の長手方向に長い長孔５が、支持柱１の両側を水平に貫通して設けられている。また、前記略円形の各調整板２は中心穴６が設けられ、当該中心穴６を中心として一定長の半径箇所から螺旋状に多数の調整穴７、７、…が設けられている。そして前記支柱１の長孔５の長さは、図３における前記調整板２の中心穴６の半径の最少の調整穴７の下端から半径の最長の調整穴７の上端までの長さを有している。
【００１８】
また、前記各上端形成体３は、図５及び図７に示す様に、アングル材から成り、その縦板３ａには、上端から前記調整板２の半径より長い下方の位置に上端を有する長孔８を縦に穿ち、当該長孔８の上方に穴９が設けられている。また、前記長孔８の長さは、前記支柱１の長孔５の長さと同じである。
【００１９】
そして、前記一方の上端形成体３の長孔８と、当該上端形成体３に隣接する調整板２の中心穴６、支柱１の前記基準穴４、他方の調整板２の中心孔６及び当該調整板２に隣接する上端形成体３の長孔８の位置を一致させてこれらの長孔８、中心穴６及び基準穴４に中心ボルト１０が通され、当該中心ボルト１０の端部にナット１１が螺着され、締め付けられている。
【００２０】
また、前記一方の上端形成体３の縦板３ａの穴９、当該上端形成体３と隣接する一方の調整板２の、中心穴６の上方の調整穴７、前記支柱１の前記長孔５、他方の調整板２の、前記一方の調整板２の調整穴７に相応する位置の調整穴７、及び当該調整板２と隣接する他方の上端形成体３の穴９の位置を一致させてこれらの穴９、調整穴７及び長孔５に調整ボルト１２を通し、当該調整ボルト１２端にナット１３が螺着され、締付けられている。
【００２１】
また、前記２つの上端形成体３、３はその各上板３ａに両端を固定された接続体１４が設けられている。この接続体１４は、前記各上端形成体３の上板３ｂに設けられた長孔１５と、前記接続体１４に設けられた、前記長孔１５に対して直交する位置の長孔１６とを貫通する接続ボルト１７の先端にナット１８を締め付けて、前記接続体１４は２つの上端形成体３を接続している。
【００２２】
そして、前記各調整板２を回して、中心穴６からの半径の一番大きな位置の調整穴７を中心穴６の上方に位置させ、当該調整穴７に前記調整ボルト１２を通して、ナット１３を締め付けると、図９に示す様に、中心ボルト１０から調整ボルト１２までの長さＬ１が大きくなっており、支柱１の上端より上方に上端形成体３の上板３ｂが位置し、実質的に支柱１の上端を高くしている。
【００２３】
また、前記各調整板２を回して、中心穴６からの半径の一番小さな位置の調整穴７を中心穴６の上方に位置させ、当該調整穴７に前記調整ボルト１２を通して、ナット１３を締め付けると、図１０に示す様に、中心ボルト１０から調整ボルト１２までの長さＬ２が短かくなっており、支柱１の上端と上端形成体３の上板３ｂの位置が略同じとなり、当該上端形成体３を含む支柱１の上端は、前記図９のものより低くなっている。
【００２４】
この様に、調整板２の、中心穴６を中心に螺旋状に多数の調整穴７を設けているため、中心穴６又は中心ボルト１０を中心に調整板２を回転させてこれらの内の任意の調整穴７を選んで、当該調整穴７を中心穴６の上方に位置させて、前記調整ボルト１２を通せば、容易に上端形成体３の上下方向の位置を選べ、実質的に支柱１の高さ（長さ）を調整できる。
【００２５】
しかも、当該調整板２の調整穴７は螺旋状に配置されているため、中心穴からの半径の異なる度合いを調整穴の直径以下に調整でき、それ故支柱１の高さの微調整が可能である。
【００２６】
なお、上記実施の形態例１では、支柱１としたが、当該支柱には、杭、柱、その他の棒状体等を含む。また、螺旋状に配置する調整穴の数は任意であり、複数であればよい。そして、この様に容易に高さ調整が可能であるため、地中に下端部を埋設した後の支柱の高さを調整するのに適している。さらに、この発明は、下部を土中等に埋設しない柱等においても、設置した後に高さ又は長さの調整ができるもので、汎用性がある。
【符号の説明】
【００２７】
１        支柱                    ２        調整板
３        上端形成体              ４        基準穴
５        長孔                    ６        中心穴
７        調整穴                  ８        長孔  
９        穴                      １０      中心ボルト
１１      ナット                  １２      調整ボルト
１３      ナット                  １４      接続体  
１５      長孔                    １６      長孔
１７      接続ボルト              １８      ナット
【図１】
2019122085.tif 000003
【図２】
2019122085.tif 000004
【図３】
2019122085.tif 000005
【図４】
2019122085.tif 000006
【図５】
2019122085.tif 000007
【図６】
2019122085.tif 000008
【図７】
2019122085.tif 000009
【図８】
2019122085.tif 000010
【図９】
2019122085.tif 000011
【図１０】
2019122085.tif 000012